(57)【要約】【課題】本体の側縁に切欠き溝が設けられているため、美容糸材のローディングが容易となる糸埋め工具を提供する。【解決手段】差込端と、差込端の反対端に位置する握り端と、を有し、差込端と握り端の間に切欠き溝が設けられており、切欠き溝は本体の軸方向に沿って設けられており、開口を有する本体と、本体の側縁に設けられており、差込端の近傍に位置し、切欠き溝と連通する係り溝と、本体の側縁に設けられており、握り端の近傍に位置し、切欠き溝と連通する入り穴と、を含み、美容糸材は、入り穴から切欠き溝に進入して、切欠き溝に収容され可能であり、その一端が入り穴に位置し、その他端が係り溝に引っ掛けられる。【選択図】図１
2017123914.tif 000002
【特許請求の範囲】
【請求項１】
差込端と、前記差込端の反対端に位置する握り端と、を有し、前記差込端と前記握り端の間に切欠き溝が設けられており、前記切欠き溝は、前記本体の軸方向に沿って設けられており、開口を有する本体と、
前記本体の側縁に設けられており、前記差込端の近傍に位置し、前記切欠き溝と連通する係り溝と、
前記本体の側縁に設けられており、前記握り端の近傍に位置し、前記切欠き溝と連通する入り穴と、を含み、
美容糸材は、前記入り穴から前記切欠き溝に進入して、前記切欠き溝に収容され可能であり、その一端が前記入り穴に位置し、その他端が前記係り溝に引っ掛けられることを特徴とする、
糸埋め工具。
【請求項２】
前記係り溝は、垂直部と、二つの横切部と、を有し、前記垂直部は前記開口に垂直し、前記二つの横切部は、それぞれ前記垂直部の両端と連接し、前記開口に平行することを特徴とする、請求項１に記載の糸埋め工具。
【請求項３】
更に、少なくとも一つの中央穴を含み、前記中央穴は、前記係り溝と前記入り穴との間に設けられており、前記切欠き溝と連通し、前記美容糸材は、前記入り穴または前記少なくとも一つの中央穴から前記切欠き溝に進入可能であることを特徴とする、請求項１に記載の糸埋め工具。
【請求項４】
前記本体の前記差込端は、鈍い状態、又は斜めに切られた状態を呈することを特徴とする、請求項１に記載の糸埋め工具。
【請求項５】
更に、ハンドルを含み、前記ハンドルは、前記握り端に固定されており、前記切欠き溝に対応する箇所にマークが付けられていることを特徴とする、請求項１に記載の糸埋め工具。
【発明の詳細な説明】
【技術分野】
【０００１】
本発明は、糸埋め工具に関し、特に、美容糸材に適用可能な糸埋め工具に関するものである。
【背景技術】
【０００２】
美容手術を行う場合には、まず、糸埋め工具内に美容糸材をローディングする。当該糸埋め工具は、外針と、内針と、を有する。前記外針は中空である。前記内針は、前記外針内に挿入可能であり、その先端が鈍い。これにより、手術に使用したい美容糸材を前記外針の内部にローディングして、患者の顔部の皮膚に前記外針を予定位置まで差し込んだ後、前記外針をゆっくり引き出すと共に、前記内針を押し込むと、前記外針の内部に位置する前記美容糸材を前記外針の外部に押し出すことが可能である。このように、前記美容糸材を患者の顔部の皮膚に残して、美容手術の次のプロセスに利用することができる。
【０００３】
しかしながら、前記外針の内部に前記美容糸材をローディングするときには、前記外針の底端からゆっくり差し込むことが必要であるが、前記外針が長すぎるため、このようなローディング方式は時間がかなり掛る。そして美容糸材が柔らかいため、ローディングが極めて難しい。
【発明の概要】
【発明が解決しようとする課題】
【０００４】
本発明の主な目的は、本体の側縁に切欠き溝が設けられているため、美容糸材のローディングが容易となる糸埋め工具を提供することにある。  
【課題を解決するための手段】
【０００５】
本発明の糸埋め工具は、差込端と、差込端の反対端に位置する握り端と、を有し、差込端と握り端の間に切欠き溝が設けられており、切欠き溝は、本体の軸方向に沿って設けられており、開口を有する本体と、本体の側縁に設けられており、差込端の近傍に位置し、切欠き溝と連通する係り溝と、本体の側縁に設けられており、握り端の近傍に位置し、切欠き溝と連通する入り穴と、を含み、美容糸材は、入り穴から切欠き溝に進入して、切欠き溝に収容され可能であり、その一端が入り穴に位置し、その他端が係り溝に引っ掛けられることを特徴とする。
【０００６】
本発明の糸埋め工具は、係り溝は、垂直部と、二つの横切部と、を有し、垂直部は開口に垂直し、二つの横切部は、それぞれ垂直部の両端と連接し、開口に平行することを特徴とする。
【０００７】
本発明の糸埋め工具は、更に、少なくとも一つの中央穴を含み、中央穴は、係り溝と入り穴との間に設けられており、切欠き溝と連通し、美容糸材は、入り穴または少なくとも一つの中央穴から切欠き溝に進入可能であることを特徴とする。
【０００８】
本発明の糸埋め工具は、本体の差込端は、鈍い状態、又は斜めに切られた状態を呈することを特徴とする。
【０００９】
本発明の糸埋め工具は、更に、ハンドルを含み、ハンドルは、握り端に固定されており、切欠き溝に対応する箇所にマークが付けられていることを特徴とする。
【発明の効果】
【００１０】
本発明の糸埋め工具によれば、本体の側縁に切欠き溝が設けられていることにより、美容糸材を入り穴または中央穴から切欠き溝に進入することが可能であり、切欠き溝に美容糸材を進入した後、美容糸材を引くと美容糸材が係り溝に引っ掛けられることにより、美容糸材が切欠き溝に収容される。このため、糸埋め工具に美容糸材をローディングする作業が容易となり、工数を減少することが可能である。また、糸埋め工具が長くても、美容糸材のローディングが容易であり、美容糸材をローディングした糸埋め工具の本体を患者の顔部の皮膚に予定位置まで差し込んだ後、本体を引き出すと、美容糸材が、患者の顔部の皮膚に残って、美容手術の次のプロセスに利用できるという効果を有する。
【図面の簡単な説明】
【００１１】
【図１】本発明の一実施形態を示す外観図である。
【図２】本発明の一実施形態を示す側面図である。
【図３】本発明の一実施形態を示す縦断面図である。
【図４】本発明の一実施形態の使用状態を示す図１であって、美容糸材を入り穴から切欠き溝に入れる状態を示す。
【図５】本発明の一実施形態の使用状態を示す図２であって、美容糸材を中央穴から切欠き溝に入れる状態を示す。
【図６】本発明の一実施形態の使用状態を示す図３であって、二つの美容糸材が同時にローディングされている状態を示す。
【図７】本発明の別の実施形態を示す図であって、本体の差込端が斜めに切られた状態を示す。
【発明を実施するための形態】
【００１２】
以下、本発明の実施の形態を図面に基づいて説明する。
【００１３】
図１から図７を参照する。図１は本発明の一実施形態を示す外観図であり、図２は本発明の一実施形態を示す側面図であり、図３は本発明の一実施形態を示す縦断面図であり、図４は、本発明の一実施形態の使用状態を示す図１であって、美容糸材が入り穴から切欠き溝に入る状態を示し、図５は、本発明の一実施形態の使用状態を示す図２であって、美容糸材が中央穴から切欠き溝に入る状態を示し、図６は、本発明の一実施形態の使用状態を示す図３であって、二つの美容糸材が同時にローディングされている状態を示し、図７は、本発明の別の実施形態を示す図であって、本体の差込端が斜めに切られた状態を示す。
本発明に係る糸埋め工具１００は、本体１０と、係り溝２０と、入り穴３０と、少なくとも一つの中央穴４０と、ハンドル５０と、を含む。
【００１４】
本体１０は、中空状を呈し、差込端１１と、差込端１１の反対端に位置する握り端１２と、を有する。本体１０の側縁１３において、差込端１１と握り端１２の間に切欠き溝１４が設けられている。切欠き溝１４は、図３に示すように、本体１０の軸方向に沿って設けられており、開口１５を有する。
【００１５】
本体１０の差込端１１は、封止状態を呈し、図１から図６に示すように、鈍く、又は図７に示すように、斜めに切られた状態を呈する。ユーザは、状況を見て適当な差込端１１を選択して利用可能である。
【００１６】
係り溝２０は、本体１０の側縁１３に設けられており、差込端１１の近傍に位置し、切欠き溝１４と連通し、開口１５と同じ側に位置する。
【００１７】
本実施形態では、係り溝２０は、垂直部２１と、二つの横切部２２と、を有する。垂直部２１は切欠き溝１４の開口１５に垂直である。二つの横切部２２は、図２に示すように、それぞれ垂直部２１の両端と連接し、開口１５に平行する。
【００１８】
入り穴３０は、本体１０の側縁１３に設けられており、握り端１２の近傍に位置し、切欠き溝１４と連通し、開口１５の反対側に位置する。これにより、美容糸材２００は、入り穴３０から切欠き溝１４に進入して、切欠き溝１４に収容され可能である。美容糸材２００は、一端が入り穴３０に位置し、他端が係り溝２０の二つの横切部２２のうちの一つに引っ掛けられる。
【００１９】
中央穴４０は、係り溝２０と入り穴３０との間に設けられており、切欠き溝１４と連通する。美容糸材２００は、入り穴３０または中央穴４０から切欠き溝１４に進入可能である。糸埋め工具１００は一つの中央穴４０を有し、中央穴４０は開口１５の反対側に位置することが好ましい。
【００２０】
ハンドル５０は本体１０の握り端１２に固定されている。糸埋め工具１００を操作するときには、ユーザがハンドル５０を握る。ハンドル５０には、本体１０の軸方向に沿う貫通孔５１が設けられている。貫通孔５１は切欠き溝１４と連通する。ハンドル５０は、本体１０の切欠き溝１４に対応する箇所にマーク５２が付けられている。マーク５２により、糸埋め工具１００を操作しているときに、ユーザは本体１０の切欠き溝１４の方向を識別可能である。
【００２１】
次に、本発明に係る糸埋め工具１００の使用方法を説明する。
まず、必要とする長さを有する美容糸材２００を、入り穴３０または中央穴４０から、本体１０の切欠き溝１４に進入させる。例えば美容糸材２００を必要とする長さがより長い場合には、図４に示すように、美容糸材２００を入り穴３０から切欠き溝１４に進入させる。美容糸材２００を必要とする長さがより短い場合には、図５に示すように、美容糸材２００を中央穴４０から切欠き溝１４に進入させる。
美容糸材２００を切欠き溝１４に進入させた後、美容糸材２００の端部を開口１５から外部に出させる。ユーザが美容糸材２００を引くと、美容糸材２００の端部が係り溝２０に引っ掛けられる。これにより、美容糸材２００は糸埋め工具１００の切欠き溝１４に収容される。
【００２２】
この後、本体１０を患者の顔部の皮膚に予定位置まで差し込んだ後、本体１０を引き出すと、美容糸材２００が、患者の顔部の皮膚に残って、美容手術の次のプロセスに利用できる。
【００２３】
ハンドル５０の貫通孔５１が切欠き溝１４と連通するため、糸埋め工具１００を利用した後、貫通孔５１を経由して、本体１０を洗浄して殺菌することが可能である。
【００２４】
このため、本体１０の側縁１３に切欠き溝１４が設けられていることにより、使用したい美容糸材２００を入り穴３０または中央穴４０から切欠き溝１４に直接進入させることが可能である。
切欠き溝１４に美容糸材２００を進入させた後、美容糸材２００を引くと美容糸材２００が係り溝２０に引っ掛けられることにより、美容糸材２００が切欠き溝１４に収容される。このように、糸埋め工具１００に美容糸材２００をローディングする作業が容易となり、工数を減少することが可能であり、糸埋め工具１００が長くても、美容糸材２００のローディングが容易である。
【００２５】
一方、本体１０を患者の顔部の皮膚に差し込むときに、ユーザは入り穴３０及び中央穴４０の本体１０に対する位置によって、本体１０の患者の顔部の皮膚に差し込む深さを推測することが可能である。本体１０の側縁１３に目盛や測定用マークが設けられていることが好ましい。これにより、本体１０の患者の顔部の皮膚に差し込む深さを直接に測定することが可能である。
【００２６】
また、係り溝２０の二つの横切部２２により、本発明に係る糸埋め工具１００は、図６に示すように、一回で美容糸材２００、３００を本体１０内にローディングすることが可能である。美容糸材２００、３００は、一端が入り穴３０に位置し、他端が係り溝２０の二つの横切部２２にそれぞれ引っ掛けられる。これにより、ユーザは、状況を見て美容糸材２００、３００を数量を調整可能である。
【００２７】
本発明は、糸埋め工具に適用することができる。
【符号の説明】
【００２８】
１０  本体
１１  差込端
１２  握り端
１３  側縁
１４  切欠き溝
１５  開口
２０  係り溝
２１  垂直部
２２  横切部
３０  入り穴
４０  中央穴
５０  ハンドル
５１  貫通孔
５２  マーク
１００  糸埋め工具
２００、３００  美容糸材
【図１】
2017123914.tif 000003
【図２】
2017123914.tif 000004
【図３】
2017123914.tif 000005
【図４】
2017123914.tif 000006
【図５】
2017123914.tif 000007
【図６】
2017123914.tif 000008
【図７】
2017123914.tif 000009
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
差込端と、前記差込端の反対端に位置する握り端と、を有し、前記差込端と前記握り端の間に切欠き溝が設けられており、前記切欠き溝は、前記本体の軸方向に沿って設けられており、開口を有する本体と、
前記本体の側縁に設けられており、前記差込端の近傍に位置し、前記切欠き溝と連通する係り溝と、
前記本体の側縁に設けられており、前記握り端の近傍に位置し、前記切欠き溝と連通する入り穴と、
前記係り溝と前記入り穴との間に設けられており、前記切欠き溝と連通している少なくとも一つの中央穴と、を含み、
美容糸材は、前記入り穴から前記切欠き溝に進入して、前記切欠き溝に収容可能であり、その一端が前記入り穴に位置し、その他端が前記係り溝に引っ掛けられ、
前記美容糸材は、前記入り穴または前記少なくとも一つの中央穴から前記切欠き溝に進入可能であることを特徴とする、
糸埋め工具。
【請求項２】
前記係り溝は、垂直部と、二つの横切部と、を有し、前記垂直部は前記開口に垂直し、前記二つの横切部は、それぞれ前記垂直部の両端と連接し、前記開口に平行することを特徴とする、請求項１に記載の糸埋め工具。
【請求項３】
前記本体の前記差込端は、鈍い状態、又は斜めに切られた状態を呈することを特徴とする、請求項１に記載の糸埋め工具。
【請求項４】
更に、ハンドルを含み、前記ハンドルは、前記握り端に固定されており、前記切欠き溝に対応する箇所にマークが付けられていることを特徴とする、請求項１に記載の糸埋め工具。